(57)【要約】【課題】  高解像度でコントラストが高く、明るい多色表示を行うことができる画像表示装置を提供する。【解決手段】  透光性を有する表面基板２と、着色層３２を内面に有する背面基板３とを所定の間隔で配設して内部空間を形成し、形成された内部空間は仕切り部材５，５によってセル４Ａ，４Ｂが形成され、各セル内に白色粒子６Ａと黒色粒子６Ｂが封入されて画像表示媒体１が構成される。表面基板２に表示用行電極２１と粒子規制用電極２２を形成し、背面基板３に列電極３１を形成する。着色層表示用電圧発生部１５により第１の交番電圧が表示用行電極２１に印加される。粒子規制用電極２２を走査方向と逆側に形成し、粒子規制用電極２２により、移動させられた各粒子６Ａ，６Ｂが元に戻らないように列電極３１に第２の交番電圧を印加する。【選択図】      図１
2005242232.tif 000002
【特許請求の範囲】
【請求項１】
正又は負に帯電した粒子群がそれぞれ封入された複数のセルを配列し、前記セル毎に複数の画素を有するように構成された画像表示媒体と、
前記セル内の前記複数の画素に第１の交番電界を付与する走査を所定の走査方向に行う第１の電界付与手段と、
前記粒子群を前記所定の走査方向に移動させる第２の交番電界を付与する第２の電界付与手段とを備えたことを特徴とする画像表示装置。
【請求項２】
前記粒子群は、色および帯電特性が異なる複数種類の粒子群であることを特徴とする請求項１記載の画像表示装置。
【請求項３】
前記画像表示媒体は、透光性を有する第１の基板と、この第１の基板に対向配置された所定の色を有する第２の基板とを備え、
前記粒子群は、前記所定の色と異なる色を有することを特徴とする請求項１記載の画像表示装置。
【請求項４】
前記第１および第２の基板の一方の基板は、前記所定の走査方向に直交する方向に沿うライン状の複数の第１の電極と、前記複数の第１の電極のそれぞれの前記所定の走査方向と逆側に複数の粒子規制用電極とを備え、
前記第１および第２の基板の他方の基板は、前記所定の走査方向に沿うライン状の複数の第２の電極を備え、
前記第１の電界付与手段は、前記第１および第２の電極間に第１の交番電圧を印加して前記第１の交番電界を付与する第１の電圧印加部を備え、
前記第２の電界付与手段は、前記粒子規制用電極と前記第２の電極間に第２の交番電圧を印加して前記第２の交番電界を付与する第２の電圧印加部を備えたことを特徴とする請求項３記載の画像表示装置。
【請求項５】
前記第２の交番電圧は、電圧値の絶対値が前記第１の交番電圧よりも大きいことを特徴とする請求項４記載の画像表示装置。
【請求項６】
前記第２の交番電圧は、パルス幅が前記第１の交番電圧よりも短いことを特徴とする請求項５記載の画像表示装置。
【請求項７】
前記画像表示媒体は、前記第１および第２の基板間を基板に平行な方向に仕切ることにより前記複数のセルを形成する仕切り部材を備えたことを特徴とする請求項３記載の画像表示装置。
【請求項８】
前記複数の第１の電極および前記複数の粒子規制用電極は、画像形成データに応じて同一の直流電圧が印加され、前記粒子群が有する前記色による表示を行うことを特徴とする請求項４記載の画像表示装置。
【発明の詳細な説明】
【技術分野】
【０００１】
本発明は、電界により着色粒子を移動させて画像表示する画像表示装置に関し、特に、高解像度でコントラストが高く、明るい多色表示を行うことができる画像表示装置に関する。
【背景技術】
【０００２】
従来の画像表示装置として、電界により着色粒子を移動させて画像表示を行うものが知られている（例えば、特許文献１参照。）
【０００３】
この画像表示媒体は、表面基板部材上に形成された列電極を誘電体膜により保護した透光性を有する表面基板と、背面基板部材上に形成された行電極を誘電体膜により保護した背面基板と、基板間を微小な間隔に対向配置させるとともに、基板間を基板と平行な方向に仕切って複数のセルを形成する仕切り部材と、負に帯電した白色粒子群と正に帯電した黒色粒子群とを各セル内に封止して構成され、セル毎に一つの画素が設定されている。
【０００４】
この画像表示装置において、行電極と列電極との間に直流電圧を印加すると、電極間の画素に電界が形成され、電界の向きに応じて白色粒子と黒色粒子が表面基板または背面基板側へ移動し、表面基板の内側に付着した白色粒子と黒色粒子とのコントラストにより表面基板を通して白黒の画像表示が行われる。
【０００５】
この構成によれば、電界を変化させない限り表示が消えないため、メモリ性を持たせることができるとともに、電気泳動や磁気泳動を用いた画像表示媒体のように液体を必要としないため、表示切替速度が速く、コントラストの高い画像を表示することができる。
【０００６】
また、カラー表示を行えるようにした従来の画像表示装置として、背面基板側に着色層を設け、粒子色の他に着色層の色を表示するものが知られている（例えば、特許文献２参照。）。
【０００７】
この画像表示装置は、白黒の表示方法は上記特許文献１と同じであるが、背面基板の着色層の色を表示させる場合には、その画素に対応する電極間に所定の周波数の交番電圧を印加するとともに、周辺の電極を接地（０Ｖ印加）あるいは粒子が基板間を移動する電圧以下とすることにより、その画素に存在する粒子を周辺に退避させ、着色層の上の白色粒子および黒色粒子が存在しないようにし、表面基板を通して着色層の色が見えるようにする。これにより、３色以上の多色表示が可能になる。
【特許文献１】特開２００３−１０７５３３号公報（［００１５］〜［００４４］、図１〜図６）
【特許文献２】特開２００２−１６９１９１号公報（［００７５］〜［００９０］、［０１０６］〜［０１１０］、図８）
【発明の開示】
【発明が解決しようとする課題】
【０００８】
しかし、従来の画像表示装置によると、セル毎に一つの画素を設けているため、画素ピッチを小さくして解像度を上げようとすると、仕切り部材には一定以上の幅が必要であることから、有効開口率が小さくなり、明るい画像を表示できなくなる。そこで、セル毎に複数の画素を設け、各画素に対応して電極を形成して単純マトリックス駆動方式（パッシブマトリックス）により走査を行い、交番電圧を印加して背面基板の色を表示しようとすると、交番電圧の印加によって除去された粒子は全方向に同程度に移動するため、この移動した粒子が先に走査して粒子を除去した画素に戻り、背面基板の色のコントラストの低下を招くことになる。
【０００９】
従って、本発明の目的は、高解像度でコントラストが高く、明るい多色表示を行うことができる画像表示装置を提供することにある。
【課題を解決するための手段】
【００１０】
本発明は、上記目的を達成するため、正又は負に帯電した粒子群がそれぞれ封入された複数のセルをアレイ状に配列し、前記セル毎に複数の画素を有するように構成された画像表示媒体と、前記セル内の前記複数の画素に第１の交番電界を付与する走査を所定の走査方向に行う第１の電界付与手段と、前記粒子群を前記所定の走査方向に移動させる第２の交番電界を付与する第２の電界付与手段とを備えたことを特徴とする画像表示装置を提供する。
【００１１】
上記構成によれば、ある対象画素に第１の交番電界を付与すると、その対象画素に存在する粒子群は、第１の交番電界が付与されていない隣接する画素へと移動する。そこで、その対象画素に第２の交番電界を付与することにより、対象画素に第１の交番電界を付与して待避させた粒子群が先に走査した画素に戻らなくなり、セルの背面色を高いコントラストで表示することができる。
【００１２】
「複数のセル」は、重力と垂直方向のストライプ状、あるいは格子状、千鳥状等のような２次元アレイ状に配列されているのが好ましい。これにより、粒子の重力による落下や、粒子の偏りを防止することができる。セルが有する「複数の画素」は、マトリックス状に配列されていてもよく、走査方向に一列に配列されていてもよい。「セルの背面色」は、セルを構成する背面基板に着色を施しているときは、その背面基板の色、透明な背面基板を用いたときは、背面基板の背後から入射し背面基板を透過する光の色となる。
【００１３】
「第１の交番電界の走査」は、アレイ状のセル（セルアレイ）を介して一対の電極を配置し、一方の電極を複数の列電極、他方の電極を複数の行電極として、単純マトリックス駆動により行うことができる。また、一対の電極のうち一方の電極を画素毎に独立した画素電極とし、他方の電極を全面電極とするか、両方を画素電極として、画素毎に独立して電圧を印加するアクティブマトリックス駆動を用いることができる。また、セルアレイの背面側の電極を全面電極とし、孤立電極をライン状に形成した電極ヘッドをセルアレイの上側を近接して移動させながら電圧を印加してもよい。ここで、セル内の各画素を表示するための駆動電圧が、各電極毎に走査される場合（つまり、セル内の各電極が同時に電圧印加されない場合）に、本発明は有効である。
【発明の効果】
【００１４】
本発明の画像表示装置によれば、第１の交番電界を付与する走査方向に粒子群を移動させる第２の交番電界を付与しているので、粒子群が先に走査した画素に戻らないため、コントラストの高い背面色の表示を行うことができる。また、セル毎に複数の画素を設けているので、解像度の高く、明るい画像が得られる。
【発明を実施するための最良の形態】
【００１５】
（画像表示装置の全体の構成）
図１は、本発明の実施の形態に係る画像表示装置の概略を示す。この画像表示装置１０は、表面基板２、背面基板３、および白色粒子６Ａ、黒色粒子６Ｂからなる粒子群を主体に構成された画像表示媒体１と、画像表示媒体１に電圧を印加して電界を付与する電界付与手段としての電圧印加部１３と、画像記憶部１１に記憶された画像データに基づいて電圧印加部１３を制御する制御部１２とを有して概略構成されている。
【００１６】
（画像表示装置の各部の構成）
電圧印加部１３は、初期化用の交番電圧を出力する初期化用電圧発生部１４と、画像表示媒体１の背面基板３の色表示を行うための第１の交番電圧を発生する着色層表示用電圧発生部１５と、白色粒子６Ａおよび黒色粒子６Ｂの動きを規制する第２の交番電圧を発生する粒子規制用電圧発生部１６と、白色粒子６Ａおよび黒色粒子６Ｂによって画像を形成するための直流電圧を発生する粒子色表示用電圧発生部１７とを備えている。
【００１７】
初期化用電圧発生部１４は、所定の周波数（例えば、１００Ｈｚから１０ｋＨｚ）の交番電圧（例えば、±２００Ｖ）を全ての画素に印加して、白色粒子６Ａを一方の基板側に付着させ、黒色粒子６Ｂを他方の基板側に付着させるために用いられる。
【００１８】
着色層表示用電圧発生部１５は、初期化用電圧発生部１４により発生する交番電圧は、所定の周波数（例えば、４００Ｈｚ）の第１の交番電圧（例えば、±７０Ｖ）を発生して背面基板３の色表示を行いたい対象画素に印加し、その対象画素に存在する粒子６Ａ，６Ｂを他の方向に移動させるために用いられる。
【００１９】
粒子規制用電圧発生部１６は、第１の交番電圧に同期した第２の交番電圧（例えば、±１００Ｖ）を出力して、セル４内での白色粒子６Ａおよび黒色粒子６Ｂの動きを規制するために用いられるものである。
【００２０】
粒子色表示用電圧発生部１７は、白色粒子６Ａと黒色粒子６Ｂを用いて２色表示を行う際に用いられ、例えば、ＤＣ１４０Ｖの直流電圧を出力する。
【００２１】
制御部１２は、例えば、ＣＰＵ、ＲＯＭ、ＲＡＭ、入出力インターフェース（Ｉ／Ｆ）回路等を備えて構成されている。ＣＰＵは、ＲＯＭに格納された制御プログラムに従って各電圧発生部１４〜１７を選択して動作させるとともに、画像記憶部１１からの画像データに基づいて表面基板２および背面基板３内の各電極に電圧を印加させる。なお、制御部１２と画像記憶部１１によってパーソナルコンピュータを構成してもよい。また、画像記憶部１１は、ＣＤ−ＲＯＭ等の記録媒体やＬＡＮ(Local Area Network)等のネットワークを介して画像データを入力してもよい。
【００２２】
（画像表示媒体の全体の構成）
画像表示媒体１は、図１に示すように、矢印Ａの方向が表示内容を見る方向になる。画像表示媒体１は、透光性を有する第１の基板としての表面基板２と、この表面基板２に対向するように配置された第２の基板としての背面基板３と、基板２，３間を微小な間隔に対向配置させて保持するとともに、基板２，３に平行な方向に仕切って複数のセル４Ａ，４Ｂを形成する仕切り部材５と、セル４Ａ，４Ｂに封入されるとともに、色および帯電特性が異なる白色粒子６Ａおよび黒色粒子６Ｂからなる２つの帯電性粒子群とを有して構成されている。なお、図１においては、セル４Ａ，４Ｂの２つのみを図示したが、実際には、画素数に応じて更に多数のセルが存在する。また、本実施例では白と黒の粒子を使用しているが、他の色の粒子の組合せとしてもよい。
【００２３】
（画像表示媒体の各部の構成）
表面基板２は、例えば、１．１ｍｍ厚さの透明ガラス基板等からなる表面基板部材２０と、表面基板部材２０上に形成されたインジウム錫酸化物（ＩＴＯ）等からなる透明な帯状の複数の表示用行表示用行電極２１Ａ，２１Ｂ，２１Ｃと、これらの表示用行電極２１Ａ，２１Ｂ，２１Ｃの走査方向７と逆側にそれぞれ形成された粒子規制用電極２２Ａ，２２Ｂ，２２Ｃと、これらの表示用行表示用行電極２１Ａ，２１Ｂ，２１Ｃおよび粒子規制用電極２２Ａ，２２Ｂ，２２Ｃを保護するとともに白色粒子６Ａと黒色粒子６Ｂの帯電特性を安定化させるポリカーボネート等からなる誘電体層２３とを積層して構成されている。複数の表示用行表示用行電極２１Ａ，２１Ｂ，２１Ｃは、図１の紙面に垂直な方向に所定間隔で平行に配設されている。
【００２４】
誘電体層２３は、セル４Ａ，４Ｂに封入する白色粒子６Ａおよび黒色粒子６Ｂの帯電特性に応じて、ポリカーボネート、ポリエステル、ポリイミド、エポキシ等を用いることができる。また、誘電体層２３は、その絶縁性材料中に電荷輸送物質を含有させることができる。電荷輸送物質を含有させることにより、白色粒子６Ａおよび黒色粒子６Ｂの性質によっては電荷注入による粒子帯電性の向上や、これら粒子の帯電量が極度に大きくなった場合に粒子６Ａ，６Ｂの電荷を漏洩させ、粒子６Ａ，６Ｂの帯電量を安定させるなどの効果を得ることができる。
【００２５】
背面基板３は、例えば、０．６ｍｍ厚さのエポキシ樹脂等からなる背面基板部材３０と、背面基板部材３０の片面に形成され、銅箔等からなる帯状の複数の列電極３１と、これらの列電極３１を保護するとともに、粒子６Ａ，６Ｂの帯電性特性を安定化させるとともに、粒子６Ａ，６Ｂと異なる色、例えば、赤色の着色が施されている着色層３２とを有して構成されている。着色層３２と粒子６Ａ，６Ｂの帯電特性の相性が悪い場合は、着色層の上に前記したような粒子６Ａ，６Ｂの帯電特性に合う誘電体層を設けてもよい。
【００２６】
図１では、列電極３１は、１つのセル４に３本設けられ、表示用行表示用行電極２１Ａ，２１Ｂ，２１Ｃも１つのセル４に３本設けられ、列電極３１と表示用行表示用行電極２１Ａ，２１Ｂ，２１Ｃは交差するように配置され、単純マトリックス駆動により電極間の画素に電圧が印加されるように構成されている。列電極３１は、図１の紙面に垂直な方向に所定間隔で平行に配設されているため、１本しか見えていない。なお、１つのセル４の行電極と列電極は、各々が３本であるとしたが、任意の本数にすることができ、セル当たりの本数が多くなるほど、解像度を上げることができる。
【００２７】
着色層３２は、例えば、着色した樹脂材を背面基板部材３０に塗布し、あるいはフィルム状にしたものを貼付して形成される。着色層３２の母材には、誘電体層２３と同様に電極２１，３１間に直流電圧が印加されたときに帯電する誘電体を素材に用い、電極２１，３１間への電圧印加が終了した後でも、背面基板３側に付着した粒子６Ａ，６Ｂに帯電が保持されるようにする。
【００２８】
仕切り部材５は、例えば、熱硬化性樹脂からなるインクをスクリーン印刷し、オーブン中で加熱焼成する処理を仕切り部材５が所望の高さになるまで複数回繰り返すことにより、背面基板３上に形成される。背面基板３上に形成された仕切り部材５の端面と表面基板２は、接着剤等により接合されていると基板間隔の安定化や粒子のセル間移動防止の点で好ましい。仕切り部材５としては、熱硬化性樹脂の他に、熱可塑性樹脂、電子線硬化樹脂、光硬化性樹脂、ゴム等の絶縁材料を用いることができる。仕切り部材５と表面基板２とを接合する接着剤としては、熱可塑性接着剤、熱活性型接着剤、熱圧接着剤、紫外線硬化型接着剤等を用いることができる。
【００２９】
白色粒子６Ａと黒色粒子６Ｂは、相互の摩擦による摩擦帯電により、互いに異なる極性に帯電する。ここでは、白色粒子６Ａは負に帯電しており、黒色粒子６Ｂは正に帯電している。
【００３０】
白色粒子６Ａは、例えば、体積平均粒径２０μｍの酸化チタン含有架橋ポリメチルメタクリレートの球状微粒子（積水化成品工業（株）製テクポリマーＭＢＸ−２０−ホワイトを分級）１００重量部にイソプロピルトリメトキシシラン処理したチタニアの微粉末０．４重量部を外添して得ることができる。
【００３１】
黒色粒子６Ｂは、例えば、体積平均粒径２０μｍのカーボン含有架橋ポリメチルメタクリレートの球状微粒子（積水化成品工業（株）製テクポリマーＭＢＸ−２０−ブラックを分級）を用いることができる。
【００３２】
次に、この画像表示装置１０の動作を説明する。
【００３３】
（白黒画像の表示）
白色粒子６Ａと黒色粒子６Ｂにより２色表示を行う場合、制御部１２は、画像記憶部１１に記憶された画像データに基づいて電圧印加部１３に制御信号を出力する。ここでは初期化用電圧発生部１４によって初期化用の交番電圧が全電極に印加され、全面が白表示となっていることを前提とする。電圧印加部１３は、制御部１２からの制御信号に基づいて、粒子色表示用電圧発生部１７から各行電極２１Ａ，２１Ｂ，２１Ｃに選択電圧（例えば、−７０Ｖ）を図１に示す走査方向７に沿って順次印加し、これに同期して各列電極３１には、画像データに応じて画像電圧（例えば、＋７０Ｖ）を所定の時間（例えば、２０ｍｓ）印加する。すると、図１に示すように、正に帯電した黒色粒子６Ｂは、負が印加された行電極２１側に移動して表面基板２の内面に付着し、負に帯電した白色粒子６Ａは、正が印加された列電極３１側に移動して背面基板３の内面に付着する。このようにして黒画像が表面基板２を通して表示される。
【００３４】
列電極３１，表示用行電極２１Ａ，２１Ｂ，２１Ｃへの電圧の印加を停止しても、粒子６Ａ，６Ｂと誘電体層２３及び誘電体層を兼ねる着色層３２との間の静電付着力が維持されるため、粒子６Ａ，６Ｂは基板２，３の内面に付着したまま保持され、長時間に渡り白黒画像が表示される。また、ここで表示用行電極２１Ａ，２１Ｂ，２１Ｃへの電圧印加と同時に粒子規制用電極２２Ａ，２２Ｂ，２２Ｃへ同じ電圧を印加すると、粒子規制用電極部も粒子による白黒表示に使用できるため、よりコントラストの高い白黒表示を行うことができる。
【００３５】
（着色層の表示の原理）
次に、着色層３２の表示の原理を図２，図３を用いて説明する。
【００３６】
図２は、電圧印加部１３から各電極２１，３１に出力される電圧波形を示す。（ａ）は表示用行電極２１へ印加される第１の交番電圧、（ｂ）は列電極３１へ印加される第１の交番電圧、（ｃ）は（ｆ）に示す対象画素ａへの印加電圧、（ｄ）は（ｆ）に示す隣接画素ｂ，ｃへ印加される印加電圧、（ｅ）は（ｆ）に示す隣接画素ｄへ印加される０Ｖを示す。図３（ａ）は、着色層３２を表示するための第１の交番電圧の印加状態を示す。ここで、表示用行電極２１Ｂ，２１Ｃに白色粒子６Ａが付着し、その表示用行電極２１Ｂ、２１Ｃに対応する列電極３１に黒色粒子６Ｂが存在する状態とする。
【００３７】
次に、制御部１２は、電圧印加部１３に制御信号を送り、着色層表示用電圧発生部１５から図２（ａ）に示すような第１の交番電圧を出力させて表示用行電極２１Ｂに印加し、列電極３１に、それとは逆位相の第１の交番電圧を印加する。図３（ａ）に示すように表示用行電極２１Ｂに−７０Ｖが印加されたとき、列電極３１に＋７０Ｖが印加され、他の表示用行電極２１Ａ，２１Ｃおよび粒子規制用電極２２Ｃは、０Ｖが印加される。また、粒子規制用電極２２Ｂには−１００Ｖが印加される。
【００３８】
このとき、粒子規制用電極２２Ｂから静電気力Ｆ１，Ｆ２、および表示用行電極２１Ｂから静電気力Ｆ３のベクトルが発生する。白色粒子６Ａは、全体的には表示用行電極２１ＢからＦ２、Ｆ３の方向に平行な方向に移動し、黒色粒子６Ｂは上方に移動する。
【００３９】
次に、図３（ｂ）に示すように表示用行電極２１Ｂに＋７０Ｖが印加され、列電極３１に−７０Ｖが印加され、他の表示用行電極２１Ａ，２１Ｃおよび粒子規制用電極２２Ｃは、０Ｖが印加される。また、粒子規制電極２２Ｂには＋１００Ｖが印加される。
【００４０】
このとき、粒子規制用電極２２Ｂから静電気力Ｆ１，Ｆ２、および表示用行電極２１Ｂから静電気力Ｆ３のベクトルが発生し、黒色粒子６Ｂは、全体的に静電気力Ｆ２、Ｆ３と平行な方向に移動し、白色粒子６Ａは上方に移動する。
【００４１】
このように、表示用行電極２１Ｂにおいて第１の交番電圧を印加されたとき、白色粒子６Ａおよび黒色粒子６Ｂは、全体的にＦ２、Ｆ３の方向に平行な方向に移動させられるので、図３の（ａ），（ｂ）に示す印加を繰り返すことで、粒子６Ａ，６Ｂは、静電気力Ｆ２、Ｆ３の方向に平行な方向に移動させられ、表示用行電極２１Ｂおよびそれに対応する列電極３１に白色粒子６Ａおよび黒色粒子６Ｂが存在しなくなり、着色層３２の色がコントラストを低下することなく表面基板２を通してＡ方向から見えるようになる。
【００４２】
（着色層の表示の具体例）
図４は、白色粒子６Ａおよび黒色粒子６Ｂの移動の規制方法を示す。まず、着色層表示用電圧発生部１５は、制御部１２の制御の下に、図４のセル４の１行目の表示用行電極２１Ａに第１の交番電圧（±７０Ｖ）を印加し、これとは逆位相の第１の交番電圧（±７０Ｖ）を列電極３１に印加し、粒子規制用電極２２Ａに第２の交番電圧（±１００Ｖ）を印加するとともに、他の電極に０Ｖを印加する。すると、図４（ａ）に示すように、１行目の画素に存在していた粒子６Ａ，６Ｂが基板２，３間を往復運動しながら他の画素（同図では２行目および３行目の画素）に移動する。
【００４３】
図４（ａ）の状態において、着色層表示用電圧発生部１５は、制御部１２の制御の下に、図４のセル４の２行目の表示用行電極２１Ｂに第１の交番電圧（±７０Ｖ）を印加し、これとは逆位相の第１の交番電圧（±７０Ｖ）を列電極３１に印加し、粒子規制用電極２２Ｂに第２の交番電圧（±１００Ｖ）を印加するとともに、他の電極に０Ｖを印加する。すると、図４（ｂ）に示すように、２行目の画素に存在していた粒子６Ａ，６Ｂが他の画素（同図では３行目の画素）に移動する。
【００４４】
その結果、１行目および２行目の画素に白色粒子６Ａおよび黒色粒子６Ｂが存在しなくなり、列電極３１の前面の着色層３２の色がコントラストを低下することなく表面基板２を通してＡ方向から見えるようになる。なお、３行目の画素を表示するときは、白色粒子６Ａおよび黒色粒子６Ｂは走査方向と直交する方向、つまり選択した列電極の隣の列電極部に移動する。
【００４５】
（初期化）
セル４の表示用行電極２１を最後まで走査し、画像表示媒体１における着色層３２による画像表示が終了すると、制御部１２は、電圧印加部１３の初期化用電圧発生部１４を動作させ、表示用行電極２１Ａ〜２１Ｃに初期化用電圧を印加するとともに、これと逆位相の初期化用交番電圧を各列電極３１に印加し、最終パルスとして、例えば、表示用行電極２１に正の直流電圧を印加することにより、白色粒子６Ａが表面基板２の内面に付着し、全てのセルの着色層３２が粒子６Ａ，６Ｂによって隠蔽され、初期状態（全面白表示状態）に戻される。このとき、画像表示媒体１を方向Ａから見ると、白色粒子６Ａによる白色画面のみが見えている。
なお、画像表示状態を保持する場合は、次の画像表示を行う前に前記初期化駆動を行う。
【００４６】
以上、本実施の形態では走査電極が表面基板側にある場合を説明してきたが、もちろん背面基板側に走査電極を配置してもよい。
【００４７】
（実施の形態の効果）
この実施の形態によれば、以下の効果が得られる。
（イ）着色層３２の色表示を行う場合に、第１の交番電界を付与する走査方向に粒子群６Ａ，６Ｂを移動させる第２の交番電界を付与しているため、粒子６Ａ，６Ｂが既に走査した画素に戻らないため、コントラストの高い着色層３２の色表示を行うことができ、彩度の高い表示が可能となる。
（ロ）第１の交番電界による走査を走査方向７へシフトするのに伴って着色層３２の見える範囲が拡大するので、着色層３２の色による階調表示を行うことができる。
（ハ）セル４毎に複数の画素を設定しているので、解像度が高く、明るい画像が得られる。
なお、白黒表示のとき、粒子規制用電極にも表示用行電極と同じ直流電圧を印加してもよい。粒子による白黒表示時は粒子規制用電極も表示用電極の一部として使用できるため、これによる表示部面積の低下がなくなる。
【図面の簡単な説明】
【００４８】
【図１】本発明の実施の形態に係る画像表示装置を示す概略構成図である。
【図２】本発明の実施の形態において、電圧印加部から各電極に出力される電圧波形を示す図である。（ａ）は表示用行電極へ印加される第１の交番電圧、（ｂ）は列電極へ印加される第１の交番電圧、（ｃ）は対象画素ａへの印加電圧、（ｄ）は隣接画素ｂ，ｃへ印加される第１の交番電圧、（ｄ）は隣接画素ｄへ印加される電圧を示す図である。
【図３】本発明の実施の形態において着色層を表示するための第１の交番電圧の印加状態を示す図である。（ａ）は選択された表示用行電極に白色粒子が付着した状態で、これに負電圧が印加されたときの状態を示す図、（ｂ）は選択された表示用行電極に黒色粒子が付着した状態で、これに正電圧が印加されときの状態を示す図である。
【図４】本発明の実施の形態に係る画像表示装置において、白色粒子および黒色粒子の移動の規制方法を示す図である。
【符号の説明】
【００４９】
１  画像表示媒体
２  表面基板
３  背面基板
４  セル
５  仕切り部材
６Ａ  白色粒子
６Ｂ  黒色粒子
１０  画像表示装置
１１  画像記憶部
１２  制御部
１３  電圧印加部
１４  初期化用電圧発生部
１５  着色層表示用電圧発生部
１６  粒子規制用電圧発生部
１７  粒子色表示用電圧発生部
２０  表面基板部材
２１Ａ，２１Ｂ，２１Ｃ  表示用行電極
２２Ａ，２２Ｂ，２２Ｃ  粒子規制用電極
２３  誘電体層
３０  背面基板部材
３１  列電極
３２  着色層
【図１】
2005242232.tif 000003
【図２】
2005242232.tif 000004
【図３】
2005242232.tif 000005
【図４】
2005242232.tif 000006